(57)【要約】【課題】  暗号化や復号化といった処理を不要とし、簡単な構成で著作権保護機能を強化した、インターネット等の通信ネットワークを利用した情報再生システムを提供する。【解決手段】  光ディスク１の再生が可能な情報再生装置Ａと、光ディスク１に関連する情報を格納している情報管理サーバＢとが通信ネットワークＮを介して接続可能なシステムであって、光ディスク１にはディスク構造情報の一部又は全部が欠落した状態で書き込まれており、情報再生装置Ａは、光ディスク１が装填されると当該光ディスク１の固有情報を読み取って情報管理サーバＢに送信し、情報管理サーバＢは、受信した固有情報に基づき、この固有情報に関連付けて格納しているディスク構造情報の一部または全部の情報を情報再生装置Ａに送信し、情報再生装置Ａは、情報管理サーバＢから送信されてきた情報を光ディスク１から読み取ったディスク構造情報に加えて正規のディスク構造情報を生成し、この生成したディスク構造情報を利用して光ディスク１の再生動作を行う。【選択図】  図１
2005339615.tif 000002
【特許請求の範囲】
【請求項１】
光ディスクの再生が可能な情報再生装置と、前記光ディスクに関連する情報を格納している情報管理サーバとが通信ネットワークを介して接続可能な情報再生システムであって、
前記光ディスクにはディスク構造情報の一部又は全部が欠落した状態で書き込まれており、
前記情報再生装置は、前記光ディスクが装填されると当該光ディスクの固有情報を読み取って前記情報管理サーバに送信し、
前記情報管理サーバは、受信した固有情報に基づき、この固有情報に関連付けて格納している前記光ディスクのディスク構造情報の一部または全部の情報を前記情報再生装置に送信する際に、任意のパスワードを付加して送信するとともに、前記固有情報と前記パスワードとを関連付けて記憶し、
前記情報再生装置は、前記情報管理サーバから送信されてきたディスク構造情報の一部または全部の情報を前記光ディスクから読み取ったディスク構造情報に加えて正規のディスク構造情報を生成し、この生成したディスク構造情報を利用して前記光ディスクの再生動作を行うとともに、前記情報管理サーバから送信されてきたパスワードを、装填されている前記光ディスクから読み取った固有情報と関連付けて記憶し、光ディスクが再度装填された場合であって、その光ディスクから読み取った固有情報にパスワードが関連付けられている場合には、その固有情報とパスワードとを前記情報管理サーバに送信し、
前記情報管理サーバは、受信した固有情報とパスワードとが、記憶している固有情報とパスワードとに一致している場合にのみ、当該固有情報に関連付けて格納している前記ディスク構造情報の一部または全部の情報を前記情報再生装置に送信するとともに、その送信する際に新たなパスワードを付加して送信することにより、パスワードについては送信するたびに変更するように構成し、
また、前記情報再生装置には前記パスワードを解除する解除ボタンが設けられており、
前記情報再生装置は、この解除ボタンが操作されるとパスワードの解除情報を固有情報とともに前記情報管理サーバに送信し、
前記情報管理サーバは、この解除情報を受信すると、固有情報に対応付けて記憶していたパスワードを消去することを特徴とする情報再生システム。
【請求項２】
光ディスクの再生が可能な情報再生装置と、前記光ディスクに関連するデータの一部または全部の情報を格納している情報管理サーバとが通信ネットワークを介して接続可能な情報再生システムであって、
前記光ディスクには、記録されているべきデータの一部又は全部が欠落した状態でデータが記録されており、
前記情報再生装置は、前記光ディスクが装填されると当該光ディスクの固有情報を読み取って前記情報管理サーバに送信し、
前記情報管理サーバは、受信した固有情報に基づき、この固有情報に関連付けて格納している記録されているべきデータの一部または全部の情報を前記情報再生装置に送信する際に、任意のパスワードを付加して送信するとともに、前記固有情報と前記パスワードとを関連付けて記憶し、
前記情報再生装置は、前記情報管理サーバから送信されてきたデータと前記光ディスクから再生したデータとをタイミングを合わせて合成することで前記光ディスクの再生動作を行うとともに、前記情報管理サーバから送信されてきたパスワードを、装填されている前記光ディスクから読み取った固有情報と関連付けて記憶し、光ディスクが再度装填された場合であって、その光ディスクから読み取った固有情報にパスワードが関連付けられている場合には、その固有情報とパスワードとを前記情報管理サーバに送信し、
前記情報管理サーバは、受信した固有情報とパスワードとが、記憶している固有情報とパスワードとに一致している場合にのみ、当該固有情報に関連付けて格納している記録されているべきデータの一部または全部の情報を前記情報再生装置に送信するとともに、その送信する際に新たなパスワードを付加して送信することにより、パスワードについては送信するたびに変更するように構成し、
また、前記情報再生装置には前記パスワードを解除する解除ボタンが設けられており、
前記情報再生装置は、この解除ボタンが操作されるとパスワードの解除情報を固有情報とともに前記情報管理サーバに送信し、
前記情報管理サーバは、この解除情報を受信すると、固有情報に対応付けて記憶していたパスワードを消去することを特徴とする情報再生システム。
【請求項３】
情報記録媒体の再生が可能な情報再生装置と、前記情報記録媒体に関連する情報を格納している情報管理サーバとが通信ネットワークを介して接続可能な情報再生システムであって、
前記情報記録媒体には媒体構造情報の一部又は全部が欠落した状態で書き込まれており、
前記情報再生装置は、前記情報記録媒体が装填されると当該情報記録媒体の固有情報を読み取って前記情報管理サーバに送信し、
前記情報管理サーバは、受信した固有情報に基づき、この固有情報に関連付けて格納している前記媒体構造情報の一部または全部の情報を前記情報再生装置に送信し、
前記情報再生装置は、前記情報管理サーバから送信されてきた情報を前記情報記録媒体から読み取った媒体構造情報に加えて正規の媒体構造情報を生成し、この生成した媒体構造情報を利用して前記情報記録媒体の再生動作を行うことを特徴とする情報再生システム。
【請求項４】
前記情報管理サーバは、前記固有情報に関連付けて格納している前記媒体構造情報の一部または全部の情報を前記情報再生装置に送信する際に、任意のパスワードを付加して送信するとともに、前記固有情報と前記パスワードとを関連付けて記憶し、
前記情報再生装置は、前記情報管理サーバから送信されてきたパスワードを、装填されている前記情報記録媒体から読み取った固有情報と関連付けて記憶するとともに、情報記録媒体が再度装填された場合であって、その情報記録媒体から読み取った固有情報にパスワードが関連付けられている場合には、その固有情報とパスワードとを前記情報管理サーバに送信し、
前記情報管理サーバは、受信した固有情報とパスワードとが、記憶している固有情報とパスワードとに一致している場合にのみ、当該固有情報に関連付けて格納している前記媒体構造情報の一部または全部の情報を前記情報再生装置に送信することを特徴とする請求項３に記載の情報再生システム。
【請求項５】
情報記録媒体の再生が可能な情報再生装置と、前記情報記録媒体に関連するデータの一部または全部の情報を格納している情報管理サーバとが通信ネットワークを介して接続可能な情報再生システムであって、
前記情報記録媒体には、記録されているべきデータの一部又は全部が欠落した状態でデータが記録されており、
前記情報再生装置は、前記情報記録媒体が装填されると当該情報記録媒体の固有情報を読み取って前記情報管理サーバに送信し、
前記情報管理サーバは、受信した固有情報に基づき、この固有情報に関連付けて格納している記録されているべきデータの一部または全部の情報を前記情報再生装置に送信し、
前記情報再生装置は、前記情報管理サーバから送信されてきたデータと前記情報記録媒体から再生したデータとをタイミングを合わせて合成することで前記情報記録媒体の再生動作を行うことを特徴とする情報再生システム。
【請求項６】
前記情報管理サーバは、前記固有情報に関連付けて格納している記録されているべきデータの一部または全部の情報を前記情報再生装置に送信する際に、任意のパスワードを付加して送信するとともに、前記固有情報と前記パスワードとを関連付けて記憶し、
前記情報再生装置は、前記情報管理サーバから送信されてきたパスワードを、装填されている前記情報記録媒体から読み取った固有情報と関連付けて記憶するとともに、情報記録媒体が再度装填された場合であって、その情報記録媒体から読み取った固有情報にパスワードが関連付けられている場合には、その固有情報とパスワードとを前記情報管理サーバに送信し、
前記情報管理サーバは、受信した固有情報とパスワードとが、記憶している固有情報とパスワードとに一致している場合にのみ、当該固有情報に関連付けて格納している記録されているべきデータの一部または全部の情報を前記情報再生装置に送信することを特徴とする請求項５に記載の情報再生システム。
【請求項７】
前記パスワードは、前記情報管理サーバから送信される度に変更されることを特徴とする請求項４または請求項６に記載の情報再生システム。
【請求項８】
前記情報再生装置には前記パスワードを解除する解除ボタンが設けられており、
前記情報再生装置は、この解除ボタンが操作されるとパスワードの解除情報を前記固有情報とともに前記情報管理サーバに送信し、
前記情報管理サーバは、この解除情報を受信すると、固有情報に対応付けて記憶していたパスワードを消去することを特徴とする請求項４または請求項６に記載の情報再生システム。
【請求項９】
前記媒体構造情報がＴＯＣ情報またはディスク情報である請求項３または請求項４に記載の情報再生システム。
【発明の詳細な説明】
【技術分野】
【０００１】
本発明は、光ディスクの再生が可能な情報再生装置と、光ディスクに関連する情報を格納している情報管理サーバとが通信ネットワークを介して接続可能な情報再生システムに係り、より詳細には光ディスクの著作権保護機能を強化した情報再生システムに関する。
【背景技術】
【０００２】
従来より、著作権保護機能を付加した各種装置ないしシステムが提案されている。
【０００３】
例えば、インターネット等を経由してダウンロードしたコンテンツのダウンロード後の不正コピーを防止するシステムが提案されている（例えば、特許文献１参照）。
【０００４】
このシステムは、光ディスクにディスクＩＤとダウンローダとを記憶しておき、ダウンローダによりインターネットを介してディスクＩＤを提示して、特定のサーバ装置に所定のコンテンツのダウンロードを要求し、サーバ装置は予め登録されているディスクＩＤと送信されたディスクＩＤとを照合し、一致したときに所定のコンテンツをダウンロードして、光ディスクに記録するようになっている。そして、このときの記録処理は、ダウンロードされた情報を、ディスクＩＤを用いて所定の暗号方式で暗号化して光ディスクに記録し、プログラムが、この暗号化して記録されている情報を、ディスクＩＤを用いて復号化する復号化処理を実行することで再生が可能となっている。
【０００５】
また、媒体情報に媒体の属性情報などを含めて媒体を管理するシステムも提案されている（例えば、特許文献２参照）。
【０００６】
このシステムは、暗号化された情報を記録したＣＤ等の記録媒体の再生時に再生装置により媒体情報が読み出され、インターネット等を介して管理用サーバに送信し、管理用サーバでは媒体購入価格等に応じた復号キーを再生装置に送信するようになっている。
【特許文献１】特開２００３−２６３８３０号公報
【特許文献２】特開２００４−８７０６３号公報
【発明の開示】
【発明が解決しようとする課題】
【０００７】
上記従来技術は、いずれも不正コピーを防止するものであるが、その処理は、暗号化や復号化といった処理が必要であるため、処理自体が複雑であるといった問題があった。
【０００８】
本発明はかかる実情に鑑みて創案されたもので、その目的は、暗号化や復号化といった処理を不要とし、簡単な構成で著作権保護機能を強化した、インターネット等の通信ネットワークを利用した情報再生システムを提供することにある。
【課題を解決するための手段】
【０００９】
上記課題を解決するため、本発明の情報再生システムは、情報記録媒体である光ディスクの再生が可能な情報再生装置と、光ディスクに関連する情報を格納している情報管理サーバとが通信ネットワークを介して接続可能なシステムとなっており、光ディスクにはディスク構造情報の一部又は全部が欠落した状態で書き込まれている。そして、情報再生装置は、光ディスクが装填されると当該光ディスクの固有情報（シリアルＩＤ）を読み取って情報管理サーバに送信する。情報管理サーバは、受信した固有情報に基づき、この固有情報に関連付けて格納しているディスク構造情報の一部または全部の情報を情報再生装置に送信する。情報再生装置は、情報管理サーバから送信されてきた情報を光ディスクから読み取ったディスク構造情報に加えて正規のディスク構造情報を生成し、この生成したディスク構造情報を利用して光ディスクの再生動作を行う構成としている。ここで、ディスク構造情報とは、光ディスクがＣＤである場合には、ＴＯＣ情報のことであり、光ディスクがＤＶＤである場合には、ディスク情報のことである。
【００１０】
この場合、情報管理サーバは、固有情報に関連付けて格納しているディスク構造情報の一部または全部の情報を情報再生装置に送信する際に、任意のパスワードを付加して送信するとともに、この固有情報とパスワードとを関連付けて内部メモリに記憶する。情報再生装置は、情報管理サーバから送信されてきたパスワードを、装填されている光ディスクから読み取った固有情報と関連付けて内部メモリに記憶する。そして、光ディスクが再度装填された場合であって、内部メモリの記憶内容から、その光ディスクから読み取った固有情報にパスワードが関連付けられている場合には、その固有情報とパスワードとを情報管理サーバに送信する。情報管理サーバは、受信した固有情報とパスワードとが、内部メモリに記憶している固有情報とパスワードとに一致している場合にのみ、当該固有情報に関連付けて格納しているディスク構造情報の一部または全部の情報を情報再生装置に送信する。このように、光ディスクの固有情報と情報管理サーバ側で生成したパスワードとによって光ディスクを特定することで、著作権保護機能をより強化することが可能となる。
【００１１】
この場合、パスワードは、情報管理サーバから送信される度に変更するように構成しておく。これにより、情報再生装置と情報管理サーバとで情報の送受信を行うたびにパスワードが変更されるため、著作権保護機能をさらに強化することが可能となる。
【００１２】
また、本発明の情報再生システムは、情報記録媒体である光ディスクの再生が可能な情報再生装置と、光ディスクに関連するデータの一部または全部の情報を格納している情報管理サーバとが通信ネットワークを介して接続可能なシステムとなっており、光ディスクには、記録されているべきデータの一部又は全部が欠落した状態でデータが記録されている。そして、情報再生装置は、光ディスクが装填されると当該光ディスクの固有情報を読み取って情報管理サーバに送信する。情報管理サーバは、受信した固有情報に基づき、この固有情報に関連付けて格納している記録されているべきデータの一部または全部の情報を情報再生装置に送信する。情報再生装置は、情報管理サーバから送信されてきたデータと光ディスクから再生したデータとをタイミングを合わせて合成することで光ディスクの再生動作を行う構成としている。
【００１３】
この場合、情報管理サーバは、固有情報に関連付けて格納している記録されているべきデータの一部または全部の情報を情報再生装置に送信する際に、任意のパスワードを付加して送信するとともに、この固有情報とパスワードとを関連付けて内部メモリに記憶する。情報再生装置は、情報管理サーバから送信されてきたパスワードを、装填されている光ディスクから読み取った固有情報と関連付けて内部メモリに記憶する。そして、光ディスクが再度装填された場合であって、内部メモリの内容から、その光ディスクから読み取った固有情報にパスワードが関連付けられている場合には、その固有情報とパスワードとを情報管理サーバに送信する。情報管理サーバは、受信した固有情報とパスワードとが、内部メモリに記憶している固有情報とパスワードとに一致している場合にのみ、当該固有情報に関連付けて格納している記録されているべきデータの一部または全部の情報を情報再生装置に送信する。このように、光ディスクの固有情報と情報管理サーバ側で生成したパスワードとによって光ディスクを特定することで、著作権保護機能をより強化することが可能となる。
【００１４】
この場合、パスワードは、情報管理サーバから送信される度に変更するように構成しておく。これにより、情報再生装置と情報管理サーバとで情報の送受信を行うたびにパスワードが変更されるため、著作権保護機能をさらに強化することが可能となる。
【００１５】
また、本発明の情報再生システムでは、上記各構成に加え、情報再生装置にパスワードを解除する解除ボタンが設けられている。そして、情報再生装置は、この解除ボタンが操作されるとパスワードの解除情報を固有情報とともに情報管理サーバに送信し、情報管理サーバは、この解除情報を受信すると、固有情報に対応付けて記憶していたパスワードを消去するように構成している。これにより、例えばユーザが、自宅の情報再生装置に光ディスクを装填して情報を再生した後、別の場所、例えば勤務先等の情報再生装置に同じ光ディスクを装填して再生したい場合には、自宅の情報再生装置側で解除ボタンを操作してパスワードの解除処理をしておけば、その後、勤務先等の情報再生装置に同じ光ディスクを装填すると、情報再生装置と情報管理サーバとは、光ディスクの固有情報のみに基づいて最初の情報のやり取りを行うことができるため、勤務先等の情報再生装置においても光ディスクを再生することが可能となる。
【発明の効果】
【００１６】
本発明の情報再生システムによれば、暗号化や複合化といった複雑な処理を行うことなく、光ディスクの少なくとも一部のデータを欠落させておくといった簡単な構成で、光ディスクの不正コピーの防止、すなわち著作権保護機能を強化することができる。
【発明を実施するための最良の形態】
【００１７】
以下、本発明の実施の形態について、図面を参照して説明する。
【００１８】
図１は、本発明の情報再生システムの全体構成図である。
【００１９】
この情報再生システムは、情報記録媒体である光ディスク１の再生が可能な情報再生装置Ａと、光ディスク１に関連する情報を格納している情報管理サーバＢとがインターネット等の通信ネットワーク（以下、「インターネット」という。）Ｎを介して接続可能なシステム構成となっている。
【００２０】
図２は、情報処理装置Ａのシステム構成を示している。
【００２１】
装填された光ディスク１にデータを書き込むとともに光ディスク１からデータを読み込む光ピックアップ３の出力は、ＲＦアンプ５を介してデジタル信号処理回路７に接続されており、デジタル信号処理回路７の出力は、光ピックアップ３によるデータの書き込み時や読み込み時のレーザ出力を制御するレーザドライバ８に接続されている。また、サーボ処理回路９の出力は、光ピックアップ３を光ディスク１の半径方向に移動させるためのフィードモータ４と光ディスク１を回転駆動するスピンドルモータ２とに接続されており、これらデジタル信号処理回路７及びサーボ処理回路９は、装置全体の動作制御を行うシステムコントローラ１０と双方向に接続されている。
【００２２】
デジタル信号処理回路７には、記録動作時や再生動作時にデータを一時的に蓄積するバッファとしてのＳＲＡＭ６が双方向に接続されているとともに、デジタルデータをアナログデータに変換してＣＲＴ等の表示装置２１に出力するＤ／Ａ変換回路１２が接続されている。また、デジタル信号処理回路７には、後述する情報管理サーバＢから送信されてきたデータを記憶しておくためのハードディスク（ＨＤ）１５が双方向に接続されている。
【００２３】
システムコントローラ１０には、光ディスク１のパラメータやレーザパワーのパラメータ等の固有情報を記憶しておくためのＥＥＰＲＯＭ１１や上記のハードディスク（ＨＤ）１５が双方向に接続されるとともに、装置本体前面に設けられたＬＣＤ等からなる表示パネル１３が接続されている。また、システムコントローラ１０には、リモコン１８からの赤外線信号を受信する受信部１４が接続されている。さらに、システムコントローラ１０には、インターネットＮに接続するためのＷｅｂブラウザ１６が接続されている。また、リモコン１８には、後述するパスワードを解除する解除ボタン１８ａが設けられている。
【００２４】
デジタル信号処理回路７は、ＥＦＭ復調や、ＡＣＩＲＣ（Advanced Cross Interleaved Reed-Solomon Code）による誤り訂正方式に従って、１６ビットの信号を８ビットづつに区切り、その８ビットを１４ビットに変換するといった処理等を行う。また、デジタル信号処理回路７は、Ｗｅｂブラウザ１６から入力された音声情報や映像情報等のデジタルデータを、ハードディスク１５に書き込むためのデータ圧縮等の処理を行う。
【００２５】
ここで、光ディスク１には、例えばディスク構造情報（光ディスク１がＣＤである場合にはＴＯＣ情報、光ディスク１がＤＶＤである場合にはディスク情報）の一部又は全部が欠落した状態で書き込まれている。そして、システムコントローラ１０は、光ディスク１が装填されると、この欠落情報を情報管理サーバＢから取得して、正規のディスク構造情報に生成し、この生成したディスク構造情報を利用して光ディスク１の再生動作を行うようになっている。
【００２６】
また、光ディスク１には、記録されているべきデータ（例えば、音楽データ等）の一部又は全部が欠落した状態で記録されている。そして、システムコントローラ１０は、光ディスク１が装填されると、この欠落データを情報管理サーバＢから取得し、光ディスク１から再生したデータとタイミングを合わせて合成することで光ディスク1の再生動作を行うようになっている。
【００２７】
一方、情報管理サーバＢには、光ディスク１の欠落情報（欠落データを含む）が、当該光ディスク１の固有情報であるシリアル番号に対応させて記憶されている。
【００２８】
図３は、情報管理サーバＢに格納されている光ディスクのシリアル番号と欠落情報とを対応させた欠落情報対応データベースの構成例を示している。
【００２９】
この欠落情報対応データベースは、少なくとも一部の情報が欠落しているため、そのままでは通常の再生が行えない各種光ディスクのシリアル番号とその欠落情報とが対応付けけられており、さらに送信のたびに情報管理サーバＢで任意に生成するパスワードが対応付けられている。
【００３０】
例えば、ディスク構造情報がａ１〜ａ１０で正規のディスク構造情報を構成するものとし、シリアル番号「１１１１１１」の光ディスク１にはディスク構造情報としてこのうちのａ１〜ａ６までが書き込まれている場合、欠落情報対応データベースには、シリアル番号「１１１１１１」に、欠落情報として「ａ７〜ａ１０」が格納されている。また、シリアル番号「２２２２２２」の光ディスク１にはディスク構造情報としてａ４〜ａ１０までが書き込まれている場合、欠落情報対応データベースには、シリアル番号「２２２２２２」に、欠落情報として「ａ１〜ａ３」が格納されている。
【００３１】
また、光ディスクに記録されているべきデータ（例えば、音楽ディスクでは、楽器の音データ「ｂｂｂ・・」とボーカルの音声データ「ｃｃｃ・・・」）のうち、シリアル番号「３３３３３３」の光ディスク１には楽器の音データ「ａａａ・・・」のみが書き込まれている場合、欠落情報対応データベースには、シリアル番号「３３３３３３」に対応させてボーカルの音声データ「ｃｃｃ・・・」が欠落情報として格納されている。なお、パスワードは、最初に送信する時点で生成されるため、最初は何も格納されていない。
【００３２】
上記構成の情報再生システムにおいて、まず最初に、光ディスク１にディスク構造情報の一部又は全部が欠落した状態で書き込まれている場合の再生処理動作について、パスワードによる管理を行わない場合と、パスワードによる管理を行う場合とに分けて具体的に説明する。
【実施例１】
【００３３】
本実施例１は、光ディスク１にディスク構造情報(ＴＯＣ情報またはディスク情報)の一部又は全部が欠落した状態で書き込まれている場合であって、パスワードによる管理を行わない場合の実施例である。以下、図４に示すフローチャートを参照して説明する。ただし、図４は、図中左側が情報再生装置Ａでの処理手順、右側が情報管理サーバＢでの処理手順となっている。
【００３４】
情報再生装置Ａに光ディスク１が装填されると（ステップＳ１０１でＹｅｓと判断されると）、システムコントローラ１０は、まず光ディスク１のリードイン領域に書き込まれているディスク構造情報を読み込んでＳＲＡＭ６に保存するとともに、保存したディスク構造情報が正規の情報であるかどうか（すなわち、欠落部分がないかどうか）を確認する（ステップＳ１０２）。
【００３５】
ここで、装填された光ディスク１のシリアル番号が「１１１１１１」であり、正規のディスク構造情報「ａ１〜ａ１０」のうち「ａ７〜ａ１０」が欠落しているものとすると、ＳＲＡＭ６にはディスク構造情報として「ａ１〜ａ６」のみが保存されることになる。その結果、ステップＳ１０２での判断がＹｅｓとなるため、システムコントローラ１０は、光ディスク１から読み取った固有情報であるシリアル番号「１１１１１１」を情報管理サーバＢに送信する（ステップＳ１０３）。
【００３６】
情報管理サーバＢは、情報再生装置Ａからのシリアル番号を受信すると（ステップＳ２０１でＹｅｓと判断されると）、この受信したシリアル番号に基づき、欠落情報対応データベースから、このシリアル番号に関連付けて格納されている光ディスク１のディスク構造情報の欠落情報を読み出して情報再生装置Ａに送信する（ステップＳ２０２）。
【００３７】
具体的には、情報再生装置Ａから送信されてきたシリアル番号が「１１１１１１」であるため、情報管理サーバＢは、図３に示す欠落情報対応データテーブルから、シリアル番号「１１１１１１」の欠落情報「ａ７〜ａ１０」を読み出して情報再生装置Ａに送信する。
【００３８】
一方、情報再生装置Ａは、情報管理サーバＢから送信されてきた欠落情報を受信すると（ステップＳ１０４でＹｅｓと判断すると）、受信した欠落情報「ａ７〜ａ１０」を、ＳＲＡＭ６に保存されているディスク構造情報「ａ１〜ａ６」に加えて正規のディスク構造情報「ａ１〜ａ１０」を生成し、この生成した正規のディスク構造情報「ａ１〜ａ１０」を再度ＳＲＡＭ６に保存する（ステップＳ１０５）。そして、この生成したディスク構造情報を利用して光ディスク１の再生動作を行う（ステップＳ１０６）。これにより、光ディスク１は通常通り正常に再生されることになる。
【実施例２】
【００３９】
本実施例２は、光ディスク１にディスク構造情報(ＴＯＣ情報またはディスク情報)の一部又は全部が欠落した状態で書き込まれている場合であって、パスワードによる管理を行う場合の実施例である。以下、図５に示すフローチャートを参照して説明する。ただし、図５は、図中左側が情報再生装置Ａでの処理手順、右側が情報管理サーバＢでの処理手順となっている。
【００４０】
情報再生装置Ａに光ディスク１が装填されると（ステップＳ３０１でＹｅｓと判断されると）、システムコントローラ１０は、まず光ディスク１のリードイン領域に書き込まれているディスク構造情報を読み込んでＳＲＡＭ６に保存するとともに、保存したディスク構造情報が正規の情報であるかどうか（すなわち、欠落部分がないかどうか）を確認する（ステップＳ３０２）。
【００４１】
ここで、装填された光ディスク１のシリアル番号が「１１１１１１」であり、正規のディスク構造情報「ａ１〜ａ１０」のうち「ａ７〜ａ１０」が欠落しているものとすると、ＳＲＡＭ６にはディスク構造情報として「ａ１〜ａ６」のみが保存されることになる。その結果、ステップＳ３０２での判断がＹｅｓとなる。次に、システムコントローラ１０は、情報管理サーバＢから送信されてきたパスワードが有るかどうかを確認する（ステップＳ３０３）。このパスワードについては後ほど詳述するが、シリアル番号「１１１１１１」と対応させて例えばＥＥＰＲＯＭ１１に格納されている。
【００４２】
ここで、装填された光ディスク１のシリアル番号が一度も情報管理サーバＢに送信されていなかった場合には、情報管理サーバＢからもパスワードは送信されておらず、従ってパスワードは存在しないので、ステップＳ３０３での判断がＮｏとなる。そのため、システムコントローラ１０は、光ディスク１から読み取ったシリアル番号「１１１１１１」のみを情報管理サーバＢに送信する（ステップＳ３０４）。
【００４３】
一方、装填された光ディスク１のシリアル番号が一度でも情報管理サーバＢに送信されていた場合には、情報管理サーバＢからパスワードが送信されてきており、従ってパスワードが存在するので、ステップＳ３０３での判断がＹｅｓとなる。そのため、システムコントローラ１０は、この場合には光ディスク１から読み取ったシリアル番号「１１１１１１」に、ＥＥＰＲＯＭ１１に格納されているパスワードを付加して情報管理サーバＢに送信する（ステップＳ３０５）。
【００４４】
情報管理サーバＢは、情報再生装置Ａからのシリアル番号を受信すると（ステップＳ４０１でＹｅｓと判断されると）、次にこのシリアル番号に付加してパスワードが送信されてきたかどうかを判断する（ステップＳ４０２）。その結果、パスワードが送信されてこなかった場合には、シリアル番号のみをキーとして、またパスワードも送信されてきた場合には、シリアル番号とパスワードとをキーとして、欠落情報対応データベースを検索する。
【００４５】
ここで、シリアル番号のみの検索で一致するシリアル番号がある場合（ステップＳ４０３でＹｅｓと判断された場合）には、次にそのシリアル番号にパスワードが対応付けられているかどうかを、欠落情報対応データベースを参照して確認し（ステップＳ４０４）、対応付けられていない場合（ステップＳ４０４でＹｅｓと判断された場合）には、この受信したシリアル番号に基づき、欠落情報対応データベースから、このシリアル番号に関連付けて格納されている光ディスク１のディスク構造情報の欠落情報を読み出して情報再生装置Ａに送信する（ステップＳ４０５）。このとき、情報管理サーバＢは、任意のパスワードを生成し、前記欠落情報に付加して送信するとともに（ステップＳ４０７）、その生成したパスワードをシリアル番号に対応させて欠落情報対応データベースに格納する（ステップＳ４０８）。
【００４６】
具体的には、情報再生装置Ａから送信されてきたシリアル番号が「１１１１１１」であるため、情報管理サーバＢは、図３に示す欠落情報対応データテーブルから、シリアル番号「１１１１１１」の欠落情報「ａ７〜ａ１０」を読み出して情報再生装置Ａに送信するのであるが、このとき、パスワードとして例えば「××××」を生成し、欠落情報と合わせてこのパスワードを情報再生装置Ａに送信する。またこのとき、情報管理サーバＢは、図６（ａ）に示すように、生成したパスワード「××××」をシリアル番号「１１１１１１」に対応させて欠落情報対応データベースに保存する（ステップＳ４０８）。
【００４７】
一方、シリアル番号とパスワードとをキーとして欠落情報対応データベースを検索した結果、シリアル番号とパスワードとが共に一致した場合（ステップＳ４０６でＹｅｓと判断された場合）には、この受信したシリアル番号に基づき、欠落情報対応データベースから、このシリアル番号に関連付けて格納されている光ディスク１のディスク構造情報の欠落情報を読み出して情報再生装置Ａに送信する（ステップＳ４０５）。このとき、情報管理サーバＢは、任意のパスワードを新たに生成し、前記欠落情報に付加して送信するとともに（ステップＳ４０７）、その生成したパスワードをシリアル番号に対応させて欠落情報対応データベースに格納する（ステップＳ４０８）。
【００４８】
具体的には、情報再生装置Ａから送信されてきたシリアル番号が「１１１１１１」であり、これに付加して送信されてきたパスワードが例えば上記の「××××」であった場合、情報管理サーバＢは、図６（ａ）に示す欠落情報対応データテーブルから、シリアル番号「１１１１１１」の欠落情報「ａ７〜ａ１０」を読み出して情報再生装置Ａに送信するのであるが、このとき、パスワードとして例えば「△△△△」を新たに生成し、欠落情報と合わせてこのパスワード「△△△△」を情報再生装置Ａに送信する。またこのとき、情報管理サーバＢは、図６（ｂ）に示すように、新たに生成したパスワード「△△△△」をシリアル番号「１１１１１１」に対応させて欠落情報対応データベースに保存する（ステップＳ４０８）。すなわち、それまでのパスワード「××××」を上書きする形で「△△△△」を格納する。つまり、パスワードについては、欠落情報を情報再生装置Ａに送信するたびに変更している。
【００４９】
なお、ステップＳ４０３でシリアル番号が一致しなかった場合、及びステップＳ４０６でシリアル番号とパスワードの両方が一致しなかった場合またはシリアル番号は一致するがパスワードが一致しなかった場合には、不正なアクセスであると判断し、欠落情報を送信することなく処理を終了する。
【００５０】
一方、情報再生装置Ａは、情報管理サーバＢから送信されてきた欠落情報を受信すると（ステップＳ３０６でＹｅｓと判断すると）、受信した欠落情報「ａ７〜ａ１０」を、ＳＲＡＭ６に保存されているディスク構造情報「ａ１〜ａ６」に加えて正規のディスク構造情報「ａ１〜ａ１０」を生成し、この生成した正規のディスク構造情報「ａ１〜ａ１０」を再度ＳＲＡＭ６に保存する（ステップＳ３０７）。このとき、情報再生装置Ａでは、受信した新たなパスワード「△△△△」をＥＥＰＲＯＭ１１に格納する（ステップＳ３０８）。この場合、ＥＥＰＲＯＭ１１に既にパスワードが格納されている場合には、そのパスワードに上書きする形で格納する。このパスワードは、次にシリアル番号が情報管理サーバＢに送信されるときに付加される。情報再生装置Ａでは、この生成したディスク構造情報を利用して光ディスク１の再生動作を行う（ステップＳ３０９）。これにより、光ディスク１は通常通り正常に再生されることになる。
【００５１】
上記実施例１及び実施例２は、光ディスク１にディスク構造情報の一部又は全部が欠落した状態で書き込まれている場合の実施例であるが、欠落情報としては、このようなディスク構造情報に限らず、光ディスク１に記録されているべきデータの一部又は全部が欠落した状態で記録されている場合も考えられる。
【００５２】
従って、以下では、光ディスク１に記録されているべきデータの一部又は全部が欠落した状態で記録されている場合の再生処理動作について、パスワードによる管理を行わない場合と、パスワードによる管理を行う場合とに分けて具体的に説明する。
【実施例３】
【００５３】
本実施例３は、光ディスク１に記録されているべきデータ（例えば、音楽データ）の一部又は全部が欠落した状態で記録されている場合であって、パスワードによる管理を行わない場合の実施例である。以下、図７に示すフローチャートを参照して説明する。ただし、図７は、図中左側が情報再生装置Ａでの処理手順、右側が情報管理サーバＢでの処理手順となっている。
【００５４】
情報再生装置Ａに光ディスク１が装填されると（ステップＳ５０１でＹｅｓと判断されると）、システムコントローラ１０は、まず光ディスク１のリードイン領域に書き込まれているディスク構造情報を読み込んでＳＲＡＭ６に保存するとともに、保存したディスク構造情報の中にデータの欠落情報があることを示す情報があるかどうかを確認する（ステップＳ５０２）。
【００５５】
ここで、装填された光ディスク１のシリアル番号が「３３３３３３」であり、楽器の音データ「ｂｂｂ・・」とボーカルの音声データ「ｃｃｃ・・・」）のうち、楽器の音データ「ａａａ・・・」のみが書き込まれており、ボーカルの音声データ「ｃｃｃ・・・」が欠落しているものとすると、ディスク構造情報にはデータの欠落情報があることを示す情報が含まれているため、ステップＳ５０２での判断がＹｅｓとなる。従って、システムコントローラ１０は、光ディスク１から読み取ったシリアル番号「３３３３３３」を情報管理サーバＢに送信する（ステップＳ５０３）。
【００５６】
情報管理サーバＢは、情報再生装置Ａからのシリアル番号を受信すると（ステップＳ６０１でＹｅｓと判断されると）、この受信したシリアル番号に基づき、欠落情報対応データベースから、このシリアル番号に関連付けて格納されている光ディスク１の欠落情報を読み出して情報再生装置Ａに送信する（ステップＳ６０２）。
【００５７】
具体的には、情報再生装置Ａから送信されてきたシリアル番号が「３３３３３３」であるため、情報管理サーバＢは、図３に示す欠落情報対応データテーブルから、シリアル番号「３３３３３３」の欠落情報「ｃｃｃ・・・」を読み出して情報再生装置Ａに送信する。
【００５８】
一方、情報再生装置Ａは、情報管理サーバＢから送信されてきた欠落情報を受信すると（ステップＳ５０４でＹｅｓと判断すると）、受信した欠落情報「ｃｃｃ・・・」を、ハードディスク（ＨＤ）１５に保存する（ステップＳ５０５）。この後、光ディスク１の再生を開始すると、システムコントローラ１０は、デジタル信号処理回路７を制御し、光ディスク１から再生される楽器の音データとハードディスク（ＨＤ）１５から読み出したボーカルの音声データとをタイミングを合わせて合成することで再生動作を行う（ステップＳ５０６）。これにより、音楽データが正常に再生されることになる。
【実施例４】
【００５９】
本実施例４は、光ディスク１に記録されているべきデータ（例えば、音楽データ）の一部又は全部が欠落した状態で記録されている場合であって、パスワードによる管理を行う場合の実施例である。以下、図８に示すフローチャートを参照して説明する。ただし、図８は、図中左側が情報再生装置Ａでの処理手順、右側が情報管理サーバＢでの処理手順となっている。
【００６０】
情報再生装置Ａに光ディスク１が装填されると（ステップＳ７０１でＹｅｓと判断されると）、システムコントローラ１０は、まず光ディスク１のリードイン領域に書き込まれているディスク構造情報を読み込んでＳＲＡＭ６に保存するとともに、保存したディスク構造情報の中にデータの欠落情報があることを示す情報があるかどうかを確認する（ステップＳ７０２）。
【００６１】
ここで、装填された光ディスク１のシリアル番号が「３３３３３３」であり、楽器の音データ「ｂｂｂ・・」とボーカルの音声データ「ｃｃｃ・・・」）のうち、楽器の音データ「ａａａ・・・」のみが書き込まれており、ボーカルの音声データ「ｃｃｃ・・・」が欠落しているものとすると、ディスク構造情報にはデータの欠落情報があることを示す情報が含まれているため、ステップＳ７０２での判断がＹｅｓとなる。次に、システムコントローラ１０は、情報管理サーバＢから送信されてきたパスワードが有るかどうかを確認する（ステップＳ７０３）。このパスワードは、シリアル番号「３３３３３３」と対応させて例えばＥＥＰＲＯＭ１１に格納されている。
【００６２】
ここで、装填された光ディスク１のシリアル番号が一度も情報管理サーバＢに送信されていなかった場合には、情報管理サーバＢからもパスワードは送信されておらず、従ってパスワードは存在しないので、ステップＳ７０３での判断がＮｏとなる。そのため、システムコントローラ１０は、光ディスク１から読み取ったシリアル番号「３３３３３３」のみを情報管理サーバＢに送信する（ステップＳ７０４）。
【００６３】
一方、装填された光ディスク１のシリアル番号が一度でも情報管理サーバＢに送信されていた場合には、情報管理サーバＢからパスワードが送信されてきており、従ってパスワードが存在するので、ステップＳ７０３での判断がＹｅｓとなる。そのため、システムコントローラ１０は、この場合には光ディスク１から読み取ったシリアル番号「３３３３３３」に、ＥＥＰＲＯＭ１１に格納されているパスワードを付加して情報管理サーバＢに送信する（ステップＳ７０５）。
【００６４】
情報管理サーバＢは、情報再生装置Ａからのシリアル番号を受信すると（ステップＳ８０１でＹｅｓと判断されると）、次にこのシリアル番号に付加してパスワードが送信されてきたかどうかを判断する（ステップＳ８０２）。その結果、パスワードが送信されてこなかった場合には、シリアル番号のみをキーとして、またパスワードも送信されてきた場合には、シリアル番号とパスワードとをキーとして、欠落情報対応データベースを検索する。
【００６５】
ここで、シリアル番号のみの検索で一致するシリアル番号がある場合（ステップＳ８０３でＹｅｓと判断された場合）には、次にそのシリアル番号にパスワードが対応付けられているかどうかを、欠落情報対応データベースを参照して確認し（ステップＳ８０４）、対応付けられていない場合（ステップＳ８０４でＹｅｓと判断された場合）には、この受信したシリアル番号に基づき、欠落情報対応データベースから、このシリアル番号に関連付けて格納されている光ディスク１の欠落情報を読み出して情報再生装置Ａに送信する（ステップＳ８０５）。このとき、情報管理サーバＢは、任意のパスワードを生成し、前記欠落情報に付加して送信するとともに（ステップＳ８０７）、その生成したパスワードをシリアル番号に対応させて欠落情報対応データベースに格納する（ステップＳ８０８）。
【００６６】
具体的には、情報再生装置Ａから送信されてきたシリアル番号が「３３３３３３」であるため、情報管理サーバＢは、図３に示す欠落情報対応データテーブルから、シリアル番号「３３３３３３」の欠落情報「ｃｃｃ・・・」を読み出して情報再生装置Ａに送信するのであるが、このとき、パスワードとして例えば「○○○○」を生成し、欠落情報と合わせてこのパスワードを情報再生装置Ａに送信する。またこのとき、情報管理サーバＢは、図９（ａ）に示すように、生成したパスワード「○○○○」をシリアル番号「３３３３３３」に対応させて欠落情報対応データベースに保存する（ステップＳ８０８）。
【００６７】
一方、シリアル番号とパスワードとをキーとして欠落情報対応データベースを検索した結果、シリアル番号とパスワードとが共に一致した場合（ステップＳ８０６でＹｅｓと判断された場合）には、この受信したシリアル番号に基づき、欠落情報対応データベースから、このシリアル番号に関連付けて格納されている光ディスク１の音楽データの欠落情報を読み出して情報再生装置Ａに送信する（ステップＳ８０５）。このとき、情報管理サーバＢは、任意のパスワードを新たに生成し、前記欠落情報に付加して送信するとともに（ステップＳ８０７）、その生成したパスワードをシリアル番号に対応させて欠落情報対応データベースに格納する（ステップＳ８０８）。
【００６８】
具体的には、情報再生装置Ａから送信されてきたシリアル番号が「３３３３３３」であり、これに付加して送信されてきたパスワードが例えば上記の「○○○○」であった場合、情報管理サーバＢは、図９（ａ）に示す欠落情報対応データテーブルから、シリアル番号「３３３３３３」の欠落情報「ｃｃｃ・・・」を読み出して情報再生装置Ａに送信するのであるが、このとき、パスワードとして例えば「□□□□」を新たに生成し、欠落情報と合わせてこのパスワード「□□□□」を情報再生装置Ａに送信する。またこのとき、情報管理サーバＢは、図９（ｂ）に示すように、新たに生成したパスワード「□□□□」をシリアル番号「３３３３３３」に対応させて欠落情報対応データベースに保存する（ステップＳ８０８）。すなわち、それまでのパスワード「△△△△」を上書きする形で「□□□□」を格納する。つまり、パスワードについては、欠落情報を情報再生装置Ａに送信するたびに変更している。
【００６９】
なお、ステップＳ８０３でシリアル番号が一致しなかった場合、及びステップＳ８０６でシリアル番号とパスワードの両方が一致しなかった場合またはシリアル番号は一致するがパスワードが一致しなかった場合には、不正なアクセスであると判断し、欠落情報を送信することなく処理を終了する。
【００７０】
一方、情報再生装置Ａは、情報管理サーバＢから送信されてきた欠落情報（ボーカルの音声データ）を受信すると（ステップＳ７０６でＹｅｓと判断すると）、受信した欠落情報「ｃｃｃ・・・」を、ハードディスク（ＨＤ）１５に保存する（ステップＳ７０７）。このとき、情報再生装置Ａでは、受信した新たなパスワード「□□□□」をＥＥＰＲＯＭ１１に格納する（ステップＳ７０８）。この場合、ＥＥＰＲＯＭ１１に既にパスワードが格納されている場合には、そのパスワードに上書きする形で格納する。このパスワードは、次にシリアル番号が情報管理サーバＢに送信されるときに付加される。この後、光ディスク１の再生を開始すると、システムコントローラ１０は、デジタル信号処理回路７を制御し、光ディスク１から再生される楽器の音データとハードディスク（ＨＤ）１５から読み出したボーカルの音声データとをタイミングを合わせて合成することで再生動作を行う（ステップＳ７０９）。これにより、音楽データが正常に再生されることになる。
【００７１】
なお、上記実施例３，４では、データの一部欠落の例として、ボーカルの音声データを例に挙げて説明しているが、データの一部欠落はこの例に限るものではない。例えば、音楽データ全体の一部、例えばサビ部分を欠落させる等、任意に設定することが可能である。
【００７２】
以上、各実施例１〜４について説明してきたが、パスワードを発行する上記実施例２，４については、さらにこのパスワードを解除できるように構成することが好ましい。
【００７３】
すなわち、ユーザが、例えば自宅の情報再生装置Ａに光ディスク１を装填して情報を再生した場合、情報管理サーバＢと自宅の情報再生装置Ａの双方に例えば共通のパスワード「××××」が保存されることになる。この状態で、同じ光ディスク１を自宅の情報再生装置Ａに再度装填した場合には、その光ディスク１のシリアル番号とこのパスワードとが情報管理サーバＢに送信され、情報管理サーバＢでは、このシリアル番号とパスワードを元に対応する欠落情報を情報再生装置Ａに送信することになる。このような状況において、ユーザが、同じ光ディスク１を自宅の情報再生装置Ａではなく、例えば勤務先等の情報再生装置Ａ１に装填して再生したい場合、この光ディスク１を情報生成装置Ａ１に装填しても、情報生成装置Ａ１にはパスワードが保存されていないことから、情報再生装置Ａ１では、光ディスク１のシリアル番号のみを情報管理サーバＢに送信することになる。一方、情報管理サーバＢでは、このシリアル番号に対してはパスワードが登録されていることから、パスワードの不一致と判断し、不正アクセスとして処理することになる。すなわち、同じユーザが同じ光ディスク１を用いて違う情報再生装置Ａ１で再生しようとしても、パスワードがあるために再生不可能となってしまうといった不具合が発生する。そのため、ユーザの使い勝手を考慮すると、このような不具合を解消する手段が必要となる。以下、パスワードを解除する実施例について説明する。
【００７４】
上記したように、情報再生装置Ａには、リモコン１８にパスワードを解除する解除ボタン１８ａが設けられている。従って、ユーザは、同じ光ディスク１を別の情報再生装置で再生したいと考えた場合には、この解除ボタン１８ａを操作する。この場合、システムコントローラ１０は、この解除情報を、装填されている光ディスク１のシリアル番号とともに情報管理サーバＢに送信する。また、システムコントローラ１０は、この時点でＥＥＰＲＯＭ１１に保存していたシリアル番号を消去するとともに、情報管理サーバＢから受信していた欠落情報もＨＤ１５から消去する。
【００７５】
情報管理サーバＢは、この解除情報をシリアル番号とともに受信すると、このシリアル番号に対応付けて保存しているパスワードを欠落情報対応データベースから消去する。これにより、欠落情報対応データベースには、光ディスクのシリアル番号とこれに対応する欠落情報のみが保存されることになる。
【００７６】
これにより、ユーザが別の場所、例えば勤務先等の情報再生装置Ａ１に同じ光ディスク１を装填して再生したい場合には、情報再生装置Ａ１と情報管理サーバＢとは、光ディスク１の固有情報であるシリアル番号のみに基づいて最初の情報のやり取りを行うことができるため、勤務先等の情報再生装置Ａ１においても光ディスク１を再生することが可能となる。
【図面の簡単な説明】
【００７７】
【図１】本発明の情報再生システムの全体構成図である。
【図２】本発明に関わる情報処理装置のシステム構成図である。
【図３】情報管理サーバに格納されている光ディスクのシリアル番号と欠落情報とを対応させた欠落情報対応データベースの構成例を示す説明図である。
【図４】実施例１の処理動作を示すフローチャートである。
【図５】実施例２の処理動作を示すフローチャートである。
【図６】欠落情報対応データベースにパスワードを保存する例を示す説明図である。
【図７】実施例３の処理動作を示すフローチャートである。
【図８】実施例４の処理動作を示すフローチャートである。
【図９】欠落情報対応データベースにパスワードを保存する例を示す説明図である。
【符号の説明】
【００７８】
Ａ  情報再生装置
Ｂ  情報管理サーバ
Ｎ  通信ネットワーク（インターネット）
１  光ディスク
２  スピンドルモータ
３  光ピックアップ
４  フィードモータ
５  ＲＦアンプ
６  ＳＲＡＭ
７  デジタル信号処理回路
８  レーザドライバ
９  サーボ処理回路
１０  システムコントローラ
１１  ＥＥＰＲＯＭ
１２  Ｄ／Ａ変換回路
１３  表示パネル
１４  受信部
１５  ハードディスク（ＨＤ）
１６  Ｗｅｂブラウザ
１８  リモコン
１８ａ  解除ボタン
【図１】
2005339615.tif 000003
【図２】
2005339615.tif 000004
【図３】
2005339615.tif 000005
【図４】
2005339615.tif 000006
【図５】
2005339615.tif 000007
【図６】
2005339615.tif 000008
【図７】
2005339615.tif 000009
【図８】
2005339615.tif 000010
【図９】
2005339615.tif 000011